(57)【要約】【課題】広告の種別毎の評価基準を反映させて、ユーザの属性や現在地、実店舗の所在地等を利用してユーザの嗜好を判断し、ユーザにとって必要で価値のある広告を提供する。【解決手段】情報提供装置１０は、広告閲覧履歴を保持する履歴ＤＢ１７と、ユーザの現在の位置を表示するユーザ位置情報を取得するユーザ位置情報取得部１３と、ユーザ位置情報取得手段が取得したユーザ位置情報に基づいて広告を抽出する広告抽出部１４と、広告種別毎のユーザ嗜好情報を抽出し、広告の種別毎の所定の評価基準と、広告種別毎のユーザ嗜好情報と、に基づいてユーザの広告に対する嗜好値を算出する嗜好値算出部１９と、嗜好値算出部１９が算出した嗜好値に基づいて広告を順位付けする順位付け部２１と、順位付け部２１によって順位付けられた広告を送信する広告送信部２２を備えたことを特徴とする。【選択図】図１
2009271845.tif 000002
【特許請求の範囲】
【請求項１】
配信されるコンテンツを保持するコンテンツ保持手段と、
移動機端末におけるコンテンツ閲覧に関するコンテンツ閲覧履歴を保持する履歴保持手段と、
前記移動機端末のユーザの現在位置を示すユーザ位置情報を取得するユーザ位置情報取得手段と
少なくとも、前記ユーザ位置情報取得手段が取得したユーザ位置情報に基づいて、前記コンテンツ保持手段が保持するコンテンツの中からコンテンツを抽出するコンテンツ抽出手段と、
前記履歴保持手段が保持するコンテンツ閲覧履歴からコンテンツ種別毎のユーザ嗜好情報を抽出し、コンテンツ種別毎の所定の評価基準と、前記コンテンツ種別毎のユーザ嗜好情報と、に基づいて前記ユーザの前記コンテンツに対する嗜好値を算出する嗜好値算出手段と、
少なくとも、前記嗜好値算出手段が算出した嗜好値に基づいて前記コンテンツを順位付けする順位付け手段と、
前記順位付けされたコンテンツを前記移動機端末へ送信するコンテンツ送信手段と、
を備える情報提供装置。
【請求項２】
前記嗜好値算出手段は、
前記コンテンツ種別毎の評価基準として、基準、当該基準に対応する詳細項目および当該基準に対する閾値を含み、
前記移動機端末における詳細項目毎のコンテンツ参照回数を求め、全参照回数に対する前記詳細項目毎のコンテンツ参照回数の比率が対象の基準に対する閾値より大きい場合、当該対象の基準に基づいて前記ユーザの前記コンテンツに対する嗜好値を算出する、
ことを特徴とする請求項１に記載の情報提供装置。
【請求項３】
前記情報提供装置は、
前記コンテンツに含まれる位置情報と、前記ユーザ位置情報取得手段が取得したユーザ位置情報と、の間の距離を算出する距離算出手段と、
コンテンツ提供者のサーバからコンテンツ配信代金の金額情報を受信し、当該コンテンツ配信代金の金額をコンテンツ保持手段に格納するコンテンツ管理手段と、
前記距離算出手段が算出した距離と、前記嗜好値算出手段が算出した嗜好値と、前記コンテンツ管理手段がコンテンツ保持手段に格納したコンテンツ配信代金の金額と、に基づいて前記コンテンツの価値を評価するコンテンツ評価手段と、
をさらに含むことを特徴とする請求項１又は２に記載の情報提供装置。
【請求項４】
前記ユーザ位置情報取得手段は、ユーザの現在位置を自動的に取得することを特徴とし、
前記コンテンツ送信手段は、前記コンテンツを自動的に送信することを特徴とする、
請求項１から３の何れか１項に記載の情報提供装置。
【請求項５】
前記情報提供装置は、
前記移動機端末における前記コンテンツの閲覧に関する情報を、コンテンツ閲覧履歴として、前記履歴保持手段に格納する履歴管理手段、を更に含むことを特徴とする請求項１から４の何れか１項に記載の情報提供装置。
【請求項６】
請求項１から５の何れか１項に記載の情報提供装置と、
現在位置を示すユーザ位置情報を前記情報提供装置に送信し、コンテンツを前記情報提供装置から受信する移動機端末と、
を含んで構成される情報提供システム。
【請求項７】
移動機端末と、配信されるコンテンツを保持するコンテンツ保持手段と前記移動機端末におけるコンテンツ閲覧に関するコンテンツ閲覧履歴を保持する履歴保持手段とを含む情報提供装置と、を含んで構成される情報提供システムにて実行される情報提供方法であって、
前記移動機端末における情報提供要求送信手段が、前記コンテンツの送信を要求する情報提供要求と、ユーザの現在の位置を表示するユーザ位置情報と、を前記情報提供システムにおけるユーザ位置情報取得部に対して送信する情報提供要求ステップと、
前記情報提供装置におけるユーザ位置情報取得手段が、前記移動機端末における情報提供要求送信部が送信した前記情報提供要求と、前記ユーザ位置情報と、を取得するユーザ位置情報取得ステップと、
前記情報送信装置におけるコンテンツ抽出手段が、少なくとも、前記ユーザ位置情報取得手段が取得したユーザ位置情報に基づいて、前記コンテンツ保持手段が保持するコンテンツの中からコンテンツを抽出するコンテンツ抽出ステップと、
前記情報提供装置における嗜好値算出手段が、前記履歴保持手段が保持するコンテンツ閲覧履歴からコンテンツ種別毎のユーザ嗜好情報を抽出し、コンテンツ別の評価基準として、基準、当該基準に対応する詳細項目および当該基準に対する閾値を含み詳細項目毎のコンテンツが参照された回数であるコンテンツ参照回数を求め、全参照回数に対する上記求めた詳細項目毎のコンテンツ参照回数の比率が対象の基準に対する閾値より大きい場合、当該対象の基準に基づいて前記ユーザの前記コンテンツに対する嗜好値を算出する嗜好値算出ステップと
前記情報送信装置における順位付け手段が、少なくとも、前記嗜好値算出手段が算出した嗜好値に基づいて前記コンテンツを順位付けする順位付けステップと、
前記情報提供装置におけるコンテンツ送信手段が、前記順位付けられたコンテンツを前記移動機端末におけるコンテンツ受信手段に対して送信するコンテンツ送信ステップと、
前記移動機端末におけるコンテンツ受信手段が、前記情報提供装置におけるコンテンツ送信手段によって送信されたコンテンツを受信するコンテンツ受信ステップと、
前記移動機端末における表示手段が、前記コンテンツ受信手段によって受信されたコンテンツを表示するコンテンツ閲覧ステップと、
を含む情報提供方法。
【発明の詳細な説明】
【技術分野】
【０００１】
本発明は、広告等のコンテンツを送信する情報提供装置、情報提供システム及び情報提供方法に関する。
【背景技術】
【０００２】
携帯電話等の移動機端末に対し、当該移動機端末の現在地と移動方向を考慮して利用価値の高い広告等を提供するシステムが知られている（下記特許文献１参照）。但し、特許文献１においては、ユーザ嗜好情報は考慮されていない。一方、特許文献２には、ユーザ嗜好情報および位置情報を含むユーザ属性とコンテンツに付与されたコンテンツ属性を考慮して、ユーザにコンテンツリストを提示するシステムが開示されている。
【特許文献１】特開２００１−２４３１４１号公報
【特許文献２】特開２０００−６７０６７号公報
【発明の開示】
【発明が解決しようとする課題】
【０００３】
しかし、上記特許文献２に記載された従来技術では、以下に示すような２つの問題点があった。即ち、特許文献２に記載の配信サーバは、ユーザの位置およびユーザ属性によりユーザの嗜好を考慮しているものの、ユーザ属性はユーザが設定することを前提としている。そのため、ユーザが設定した嗜好に関する属性が、ユーザの嗜好を網羅していない場合は、提供する情報に漏れが生じるという問題がある。さらに、ユーザの位置に関しても、ユーザの現在の位置を考慮せずユーザ属性に含まれる居住地、及びコンテンツに含まれる位置情報を用いているため、ユーザの現在位置からみて適切でないコンテンツが配信される場合がある。例えば、ユーザの居住地の近くにある飲食店や映画館の広告であれば、現在ユーザが店舗から遠い場所にいる場合でもユーザに配信してしまう場合がある。そのような広告はユーザにとって必要で価値のある広告とは言い難く、配信された広告が閲覧される可能性は低い。
【０００４】
また、上記特許文献２に記載された従来技術においては、広告の種別毎に予め評価基準を設けることは記載されていない。そのため、広告の種別毎の評価基準を反映することができない。また、広告提供者が広告を提供したい対象ユーザの条件を選択できないため、広告提供者が意図しない対象に広告が提供される場合がある。この場合、広告提供者にとっては、不必要な広告配信に対して対価を支払うことになる。
【０００５】
そこで本発明は、上記問題点を解決し、広告の種別毎の評価基準を反映させて、ユーザの属性や現在地、実店舗の所在地等を利用してユーザの嗜好を判断し、ユーザにとって必要で価値のあるコンテンツを送信する情報提供装置、情報提供システム及び情報提供方法を提供することを目的とする。
【課題を解決するための手段】
【０００６】
上記課題を解決するために、本発明の情報提供装置は、配信されるコンテンツを保持するコンテンツ保持手段と、移動機端末におけるコンテンツ閲覧に関するコンテンツ閲覧履歴を保持する履歴保持手段と、移動機端末のユーザの現在位置を示すユーザ位置情報を取得するユーザ位置情報取得手段と、少なくとも、ユーザ位置情報取得手段が取得したユーザ位置情報に基づいてコンテンツ保持手段が保持するコンテンツの中からコンテンツを抽出するコンテンツ抽出手段と、履歴保持手段が保持するコンテンツ閲覧履歴からコンテンツ種別毎のユーザ嗜好情報を抽出し、コンテンツ種別毎の所定の評価基準と、コンテンツ種別毎のユーザ嗜好情報と、に基づいてユーザのコンテンツに対する嗜好値を算出する嗜好値算出手段と、少なくとも、嗜好値算出手段が算出した嗜好値に基づいてコンテンツを順位付けする順位付け手段と、順位付けされたコンテンツを移動機端末へ送信するコンテンツ送信手段と、を備えたことを特徴としている。
【０００７】
ユーザ位置情報を取得し少なくとも当該ユーザ位置情報に基づいてコンテンツを抽出し、更に、コンテンツ種別毎の所定の評価基準とコンテンツ閲覧履歴とに基づいて嗜好値を算出し、当該嗜好値に基づいて順位付けされたコンテンツを移動機端末に送信することで、ユーザの属性に合ったコンテンツを抽出し、ユーザの嗜好に合致した順で移動機端末に表示することが可能となる。なお、上記の履歴保持手段により保持されるコンテンツ閲覧履歴は、情報提供装置から移動機端末へ送信された広告の閲覧情報のみではなく、本発明の情報提供システム以外の外部システムが提供するＷｅｂサービスでの閲覧の履歴や移動機端末に提供する外部システムの閲覧履歴等であってもよい。
【０００８】
また、本発明の情報提供装置においては、嗜好値算出手段は、コンテンツ種別毎の評価基準として、基準、当該基準に対応する詳細項目および当該基準に対する閾値を含み、移動機端末における詳細項目毎のコンテンツ参照回数を求め、全参照回数に対する上記詳細項目毎のコンテンツ参照回数の比率が対象の基準における閾値より大きい場合、当該基準に基づいてユーザのコンテンツに対する嗜好値を算出することが好適である。コンテンツ種別毎に評価基準を予め定めることで、コンテンツ種別に合わせた適切な方法により嗜好値を算出することが可能となり、また、ユーザによるコンテンツの参照回数に基づくことで、ユーザの嗜好をより正確に把握することが可能となる。
【０００９】
また、本発明の情報提供装置においては、情報提供装置は、コンテンツに含まれる位置情報と、ユーザ位置情報取得手段が取得したユーザ位置情報と、の間の距離を算出する距離算出手段と、コンテンツ提供者のサーバからコンテンツ配信代金の金額情報を受信し、当該コンテンツ配信代金の金額をコンテンツ保持手段に格納するコンテンツ管理手段と、距離算出手段が算出した距離と、嗜好値算出手段が算出した嗜好値と、コンテンツ管理手段がコンテンツ保持手段に格納したコンテンツ配信代金の金額と、に基づいてコンテンツの価値を評価するコンテンツ評価手段と、をさらに含むことが好適である。コンテンツに含まれている位置とユーザ位置情報で示される位置との間の距離と、嗜好値と、コンテンツ配信代金と、に基づいてコンテンツの価値を評価することで、距離、嗜好値及びコンテンツ配信の代金を総合的に考慮したコンテンツの価値を把握することが可能となる。
【００１０】
また、本発明の情報提供装置においては、ユーザ位置情報取得手段は、ユーザの現在位置を自動的に取得し、コンテンツ送信手段は、コンテンツを自動的に送信することが好適である。ユーザ位置情報の取得及びコンテンツの配信を自動的に行うことによって、ユーザからの情報提供要求が無い場合であってもユーザ位置情報の取得及びコンテンツの配信を行うことが可能となる。
【００１１】
また、本発明の情報提供装置においては、情報提供装置は、移動機端末におけるコンテンツの閲覧に関する情報を、コンテンツ閲覧履歴として、履歴保持手段に格納する履歴管理手段、を更に含むことが好適である。コンテンツ閲覧履歴を格納することで、ユーザの嗜好値算出の為にユーザのコンテンツ閲覧履歴を利用することが可能となる。
【００１２】
また、上記課題を解決するために、本発明の情報提供システムにおいては、前述した情報提供装置と、現在位置を示すユーザ位置情報を情報提供装置に送信し、コンテンツを情報提供装置から受信する移動機端末と、を備えたことを特徴としている。コンテンツをユーザが所持する移動機端末に送信することで、ユーザがコンテンツを閲覧することが可能となる。
【００１３】
また、上記課題を解決するために、本発明の情報提供方法においては、移動機端末と、配信されるコンテンツを保持するコンテンツ保持手段と移動機端末におけるコンテンツ閲覧に関するコンテンツ閲覧履歴を保持する履歴保持手段とを含む情報提供装置と、を含んで構成される情報提供システムにて実行される情報提供方法であって、移動機端末における情報提供要求送信手段が、コンテンツの送信を要求する情報提供要求と、ユーザの現在の位置を表示するユーザ位置情報と、を情報提供システムにおけるユーザ位置情報取得部に対して送信する情報提供要求ステップと、情報提供装置におけるユーザ位置情報取得手段が、移動機端末における情報提供要求送信部が送信した情報提供要求と、ユーザ位置情報と、を取得するユーザ位置情報取得ステップと、情報送信装置におけるコンテンツ抽出手段が、少なくとも、ユーザ位置情報取得手段が取得したユーザ位置情報に基づいて、コンテンツ保持手段が保持するコンテンツの中からコンテンツを抽出する、コンテンツ抽出ステップと、情報送信装置における嗜好値算出手段が、履歴保持手段が保持するコンテンツ閲覧履歴からコンテンツ種別毎のユーザ嗜好情報を抽出し、コンテンツ別の評価基準として、基準、当該基準に対応する詳細項目および当該基準に対する閾値を含み詳細項目毎のコンテンツが参照された回数であるコンテンツ参照回数を求め、全参照回数に対する上記求めた詳細項目毎のコンテンツ参照回数の比率が対象の基準に対する閾値より大きい場合、当該対象の基準に基づいてユーザのコンテンツに対する嗜好値を算出する嗜好値算出ステップと、情報提供装置における順位付け手段が、少なくとも、嗜好値算出手段が算出した嗜好値に基づいてコンテンツを順位付けする順位付けステップと、情報提供装置におけるコンテンツ送信手段が、順位付けられたコンテンツを移動機端末におけるコンテンツ受信手段に対して送信するコンテンツ送信ステップと、移動機端末におけるコンテンツ受信手段が、情報提供装置におけるコンテンツ送信手段によって送信されたコンテンツを受信するコンテンツ受信ステップと、移動機端末における表示手段が、コンテンツ受信手段によって受信されたコンテンツを表示するコンテンツ閲覧ステップと、を備えたことを特徴としている。
【００１４】
ユーザ位置情報を取得し少なくとも当該ユーザ位置情報に基づいてコンテンツを抽出し、更に、コンテンツ種別毎の所定の評価基準とユーザ嗜好情報とに基づいて嗜好値を算出し、当該嗜好値に基づいて順位付けされたコンテンツを移動機端末に送信することで、ユーザの属性に合ったコンテンツを抽出し、ユーザの嗜好に合致した順で移動機端末に表示することが可能となる。また、コンテンツ種別毎に評価基準を予め定めることで、コンテンツ種別に合わせた適切な方法により嗜好値を算出することが可能となり、また、ユーザによるコンテンツの参照回数に基づいて嗜好値を算出することで、ユーザの嗜好をより正確に把握することが可能となる。
【発明の効果】
【００１５】
本発明によれば、現在のユーザの存在位置を考慮した適切な情報を提供することが可能となり、コンテンツ種別毎の評価基準に従ってユーザの属性に合ったコンテンツを自動的に抽出して提供するため、情報に漏れが無くユーザの嗜好に合致した順で移動機端末に表示することが可能となり、ユーザが必要としないコンテンツを送信する不都合をなくし、コンテンツ提供者にとっての無駄を省くことが可能になると同時に、ユーザにとって必要なコンテンツだけを適切に受信することが可能となる。
【発明を実施するための最良の形態】
【００１６】
本発明の実施形態にかかる情報提供システムについて、図面を用いて説明する。
【００１７】
まず、本実施形態にかかる情報提供システムの構成について説明する。図１は、本実施形態にかかる情報提供システムの構成図である。
【００１８】
本実施形態にかかる情報提供システム１は、情報提供装置１０、及び移動体通信網６０を介して情報提供装置１０に接続可能とされた移動機端末５０を含んで構成される。
【００１９】
情報提供装置１０は、広告管理部１１（コンテンツ管理手段）、広告ＤＢ１２（コンテンツ保持手段）、ユーザ位置情報取得部１３（ユーザ位置情報取得手段）、広告抽出部１４（コンテンツ抽出手段）、距離算出部１５（距離算出手段）、距離ＤＢ１６、履歴ＤＢ１７（履歴保持手段）、履歴管理部１８（履歴管理手段）、嗜好値算出部１９（嗜好値算出手段）、広告評価部２０（コンテンツ評価手段）、順位付け部２１（順位付け手段）及び、広告送信部２２（コンテンツ送信手段）を含んで構成されている。
【００２０】
広告管理部１１は、広告提供者のサーバ（以下、単に「広告提供者」と称する）から広告の提供を受け付ける際、広告に付与された提供対象エリア、広告送信時間帯、対象性別、対象年代の条件から、既に登録されている同条件の広告のうち、例えば他の広告提供者が登録した広告配信代金の金額のうち金額が多い方から２０番以内の金額を広告提供者に対し提示する。広告提供者は提示された目安の配信代金を参照することで、目安の配信代金より多い金額を投入すれば、上位の広告としてユーザに閲覧される可能性を高めることができる。また、広告提供者から提供された広告を、広告名、広告の種別、実店舗位置、提供対象エリア、広告送信時間帯、対象性別及び対象年代を含む属性情報と共に、広告ＤＢ１２に格納する。また、広告管理部１１は、広告提供者が登録する信代金としての広告配信代金の金額を広告ＤＢ１２に格納する。
【００２１】
広告ＤＢ１２は、図４及び図５に例示するように、広告名、広告の種別、実店舗位置、提供対象エリア、広告送信時間帯、対象性別、対象年代、広告詳細ＤＢへのリンク、広告詳細ＤＢ及び図示しない広告配信代金の金額等の広告に関する情報を保持する。
【００２２】
ユーザ位置情報取得部１３は、移動機端末５０が情報提供装置１０に対して広告の送信を要求する信号としての情報提供要求と、要求を行った移動機端末５０が現在存在する位置情報としてのユーザ位置情報と、を移動機端末５０における情報提供要求部５１から受信し、当該受信したユーザ位置情報を広告抽出部１４及び距離算出部１５へ送る。
【００２３】
広告抽出部１４は、ユーザ位置情報をユーザ位置情報取得部１３から受け取り、当該受け取ったユーザ位置情報、現在時間、ユーザの性別と年代、広告ＤＢ１２を参照することで得られる提供対象エリア、広告送信時間帯、対象性別及び対象年代に基づいて、広告ＤＢ１２に保持されている広告の中から、ユーザの条件に合致する広告を後で詳述する方法によって抽出する。また、広告抽出部１４は、当該抽出した広告を距離算出部１５及び嗜好値算出部１９へ送る。また、広告抽出部１４は、抽出した広告が無かった場合（つまり、ユーザの条件に合致する広告が無かった場合）移動機端末５０に対して、該当広告が無いことを示すデータを送信する。
【００２４】
距離算出部１５は、広告抽出部１４から受け取った広告に関して、広告ＤＢ１２に含まれる広告の実店舗の位置を参照し得られた位置と、ユーザ位置情報取得部１３から受け取ったユーザ位置情報が示す位置と、の間の距離を算出し、当該算出した距離を広告評価部２０に送る。また、距離算出部１５は、後述の方法により、距離ＤＢ１６を参照して当該算出した距離から距離の対応値を算出する。
【００２５】
距離ＤＢ１６は、距離に対応する所定の距離の対応値が保持されている。
【００２６】
履歴ＤＢ１７は、移動機端末５０における広告の閲覧に関する広告閲覧履歴を保持している。
【００２７】
履歴管理部１８は、移動機端末５０における広告の閲覧に関する情報を移動機端末５０における閲覧通知部５４から受信し、当該広告の閲覧に関する情報を広告閲覧履歴として履歴ＤＢ１７に格納する。
【００２８】
嗜好値算出部１９は、広告抽出部１４から受け取った広告に関して、履歴ＤＢ１７を参照して得られる広告閲覧履歴と、広告ＤＢ１２を参照して得られる広告の詳細情報と、に基づいて後で詳述する方法によって嗜好値を算出し、当該算出した嗜好値を広告評価部２０へ送る。上記の嗜好値とは、後に詳述するように、本実施形態においては、広告閲覧履歴から重視する選択基準とその選択基準内の基準内重視項目を算出し、広告に付随する属性項目と同一の基準内重視項目がその選択基準内における全詳細項目の中での集中度を意味する。
【００２９】
広告評価部２０は、距離算出部１５が算出した広告の実店舗の位置とユーザ位置情報が示す位置との間の距離と、嗜好値算出部１９が算出した嗜好値と、広告ＤＢ１２を参照して得られる広告提供者のサーバが登録した広告配信代金の金額と、に基づいて広告抽出部１４が抽出した広告それぞれの価値を後で詳述する方法によって評価し、当該評価した価値を順位付け部２１へ送る。
【００３０】
順位付け部２１は、広告評価部２０から広告の価値を受け取り、当該受け取った価値に基づいて広告抽出部１４が抽出した広告に順位を付ける。
【００３１】
広告送信部２２は、順位付け部２１によって順位付けられた広告を、移動機端末５０における広告受信部５２に対して送信する。
【００３２】
移動機端末５０は、情報提供要求部５１、広告受信部５２、表示部５３及び閲覧通知部５４を含んで構成されている。
【００３３】
情報提供要求部５１は、移動機端末５０のアプリケーションから、情報提供要求を情報提供装置１０におけるユーザ位置情報取得部１３に送信する。
【００３４】
広告受信部５２は、情報提供装置１０における広告送信部２２が送信した順位付けられた広告を受信し、当該受信した広告を表示部５３へ送る。
【００３５】
表示部５３は、広告受信部５２から広告を受け取りユーザの指示に従って当該受け取った広告をディスプレイなどの出力装置に表示する。
【００３６】
閲覧通知部５４は、広告の閲覧に関する情報を情報提供装置１０における履歴管理部１８に送信する。
【００３７】
図２は、本実施形態における情報提供装置１０のハードウェア構成を示す図である。
【００３８】
図２に示すように情報提供装置１０は、物理的には、ＣＰＵ１０１と、主記憶装置であるＲＡＭ１０２及びＲＯＭ１０３と、通信を制御する通信モジュール１０４と、フラッシュメモリーなどの補助記憶部１０５と、操作ボタンなどの入力装置１０６と、ＬＣＤや有機ＥＬディスプレイなどの出力装置１０７とを備える。情報提供装置１０の各機能は、ＣＰＵ１０１、ＲＡＭ１０２等のハードウェア上に所定のソフトウェアを読み込ませることにより、ＣＰＵ１０１の制御のもとで通信モジュール１０４、出力装置１０７、入力装置１０６を動作させると共に、ＲＡＭ１０２や補助記憶部１０５におけるデータの読み出し及び書き込みを行うことで実現される。なお、移動機端末５０も同様のハードウェア構成を備える。
【００３９】
続いて、本実施形態にかかる情報提供システムの動作について説明する。図３は、本実施形態にかかる情報提供システムの動作を示すフローチャートである。
【００４０】
移動機端末５０における情報提供要求部５１は、情報提供要求及び現在存在する位置情報としてのユーザ位置情報を情報提供装置１０におけるユーザ位置情報取得部１３に送信する（ステップＳ１）。
【００４１】
情報提供要求を受けた情報提供装置１０におけるユーザ位置情報取得部１３は、要求を行った移動機端末５０が現在存在する位置情報としてのユーザ位置情報を取得し、取得したユーザ位置情報を広告抽出部１４及び距離算出部１５へ送る（ステップＳ２）。
【００４２】
広告抽出部１４は、ユーザ位置情報取得部１３から受け取ったユーザ位置情報、現在時間、ユーザの性別と年代、広告ＤＢ１２を参照することで得られる提供対象エリア、広告送信時間帯、対象性別、対象年代に基づいて、広告ＤＢ１２に保持されている広告の中から、ユーザの条件に該当する広告を抽出する（ステップＳ３）。
【００４３】
なお、ユーザの性別と年代についての情報は、予め登録しておいても良いし、その都度移動機端末５０から受信してもよい。
【００４４】
ユーザの条件に該当する広告が無い場合（ステップＳ４において“無し”）、広告抽出部１４は、移動機端末５０に対して該当する広告は無いことを示すデータを送信し、移動機端末５０における表示部５３は、該当する広告が無いことを示すデータを受信した場合該当する広告は無い旨の表示をする（ステップＳ５）。
【００４５】
ユーザの条件に該当する広告がある場合（ステップＳ４において“有り”）、距離算出部１５は、広告ＤＢ１２に含まれる広告の実店舗の位置を参照し、当該位置とユーザ位置情報取得部１３から受け取ったユーザ位置情報が示す位置との間の距離を後で詳述する方法により算出する（ステップＳ６）。
【００４６】
嗜好値算出部１９は、履歴ＤＢ１７を参照して得られる広告閲覧履歴と、広告ＤＢ１２を参照して得られる広告の詳細情報と、に基づいて後で詳述する方法によって嗜好値を算出する（ステップＳ７）。
【００４７】
広告評価部２０は、距離算出部１５が算出した広告の実店舗の位置とユーザ位置情報が示す位置との間の距離と、嗜好値算出部１９が算出した嗜好値と、広告ＤＢ１２を参照して得られる広告提供者のサーバが登録した広告配信代金の金額と、に基づいて後で詳述する方法によって広告の価値を評価する（ステップＳ８）。
【００４８】
順位付け部２１は、広告評価部２０によって評価された広告の価値に基づいて広告に順位を付ける（ステップＳ９）。
【００４９】
広告送信部２２は、順位付け部２１によって順位付けられた広告を、移動機端末５０における広告受信部５２に対して送信する（ステップＳ１０）。
【００５０】
移動機端末５０における表示部５３は、広告受信部５２が受信した広告を受け取り、当該受け取った広告をディスプレイなどの出力装置に表示する（ステップＳ１１）。
【００５１】
移動機端末５０における閲覧通知部５４は、広告の閲覧に関する情報を情報提供装置１０における履歴管理部１８へ送信する（ステップＳ１２）。
【００５２】
履歴管理部１８は、移動機端末５０における閲覧通知部５４から受信した広告の閲覧に関する情報を、広告閲覧履歴として履歴ＤＢ１７に格納する（ステップＳ１３）。
【００５３】
ここで、広告抽出部１４が、ユーザ位置情報、時間、性別、年代の条件から広告を抽出する手段について図４を用いて説明する。広告ＤＢ１２に保持されている各広告には、属性情報として少なくとも広告の種別、実店舗位置、提供対象エリア、広告送信時間帯、対象性別及び対象年代が登録されている。また、各広告の種別に固有の情報を広告毎に格納する広告詳細ＤＢへのリンク情報も登録される。
【００５４】
広告抽出部１４は、提供対象エリアを参照し、ユーザ位置情報取得部１３から受け取ったユーザ位置情報と照合することでユーザ位置情報が提供対象エリアに含まれている広告を抽出し、広告送信時間帯を参照し、現在の時間と照合することで現在の時間が広告送信時間帯に含まれている広告をさらに抽出する。
【００５５】
広告抽出部１４は、当該抽出された広告の中から、対象年齢と、対象年代と、を参照し、ユーザの性別、年代からユーザの性別及び年代が対象性別及び対象年代にそれぞれ含まれる広告を、さらに抽出する。
【００５６】
なお、広告の属性はこれに限られるものではなく、例えば、広告を提供する期間を限定できるようにしても良い。
【００５７】
本実施形態においては、広告提供者が広告を提示する期間、時間帯、性別、年代を選択して投入することを可能とし、投入された条件とその広告が持つ属性情報から対象ユーザ数を概算し、情報提供者に対して目安の広告費を提示するため、広告を提供したいユーザ範囲を限定でき、不必要な広告費を削減できる。
【００５８】
ここで、前述したステップＳ６において距離算出部１５が距離を算出する方法について説明する。
【００５９】
距離ＤＢには、距離に対応付けられた距離の対応値が予め登録されている。具体的には例えば距離が０メートルから１００メートルまでの間であれば距離の対応値は１、距離が１０１メートルから３００メートルまでの間であれば距離の対応値は２となっている。
【００６０】
広告の店舗所在地（住所）である実店舗位置を位置情報へ変換し、移動機端末の機能により取得した移動機端末の現在位置情報としてのユーザ位置情報が示す位置との差分を概算距離として算出する。算出した概算距離と距離ＤＢ１６を照合し、距離の対応値を算出する。
【００６１】
ここで、前述したステップＳ７において嗜好値算出部１９が嗜好値を算出する方法について図５及び図６を用いて説明する。
【００６２】
図５は映画・映画館の広告について、広告ＤＢ１２に保持された基準、詳細項目、閾値を例示している。
【００６３】
更に、広告ＤＢ１２には、各詳細項目は図６に示す、映画・映画館に関する広告の閲覧履歴、図５にある基準、詳細項目および図４（ｂ）の広告詳細ＤＢから算出された閲覧ポイントの情報が保持されている。
【００６４】
閲覧ポイントは次の様に算出される。嗜好値算出部１９は、ユーザＡが過去に閲覧した広告毎の閲覧回数を図６の閲覧履歴を参照することで取得する。また、保持する基準内の詳細項目値を取得し、図５の詳細項目に該当するか比較を行う。該当する詳細項目に対する閲覧ポイントを既に取得済みの閲覧回数分増やす。
【００６５】
各基準内の詳細項目が持つ全閲覧ポイント数から各詳細項目の閲覧ポイントが占める割合（偏り度とする）が閾値を超える詳細項目がある場合、その基準をユーザが重視する基準とする。重視する基準のうち、閾値を越える詳細項目を基準内重視項目とする。
【００６６】
各基準について基準内重視項目が複数ある場合、基準内重視項目のうち、最大の偏り度を持つ項目を基準内最大重視項目とする。
【００６７】
広告に該当する基準が一つの場合、嗜好値は基準内最大重視項目の偏り度を閾値で除算し、算出する。
【００６８】
基準Ｘの基準内最大重視項目の偏り度をＹ、閾値をＷ、嗜好値をＺとすると嗜好値Ｚは以下の式（１）で表される。
Ｚ＝Ｙ／Ｗ…（１）
【００６９】
広告に該当する基準が存在しない場合、その広告の嗜好値Ｚは１以下の固定値βとする（式（２））。
【００７０】
Ｚ＝β（βは１以下の所定の固定値）…（２）
【００７１】
広告に該当する基準数が複数の場合、次のように算出する。
【００７２】
該当する基準数をｎ個とした場合、基準（Ｘ１，…，Ｘｎ）について、基準内最大重視項目の偏り度（Ｙ１，…，Ｙｎ）、閾値（Ｗ１，…，Ｗｎ）、項目別嗜好値（Ｚ１，…，Ｚｎ）とすると、嗜好値Ｚは以下の式（３）で表される。
Ｚａ＝Ｙａ／Ｗａ（ａ＝１，２，…，ｎ）…（３）
【００７３】
基準数が複数の場合、その広告はより価値のあるものとして捉え、以下の式（４）に示すようにその基準数に応じて嗜好値を大きくする。
【００７４】
Ｚ＝［（Ｚ１＋Ｚ２＋…Ｚｎ）／ｎ］×１．５×（ｎ−１）…（４）
【００７５】
つまり、広告の種別に応じた基準を設けることで、広告種別毎の嗜好を正確に反映すると共に、特にユーザが嗜好が明確な基準を用いて嗜好値を算出することで、精度を高めている。同一基準内で閾値を越えた重視項目が複数ある場合に、最大の偏り度をもつ基準内最大重視項目のみを嗜好値の算出に用いるのも同様の理由による。
【００７６】
本実施形態においては、広告閲覧履歴に基づき重視する選択基準とその選択基準内の基準内重視項目を算出し、広告に付随する属性項目と同一の基準内重視項目がその選択基準内における全詳細項目の中での集中度を嗜好の度合い（嗜好値）とする。また、広告に対し、複数の基準が該当する場合はその広告はよりユーザにとって重視すべき広告であることから嗜好値を大きくする。上記嗜好値を抽出する手段は、各ユーザが広告の種別ごとに重視する基準とその基準に適合する広告を結びつけることができ、ユーザにとって重視する広告の嗜好値を適切に高くできる。また、複数の基準に該当する広告は嗜好値を大きくすることからユーザにとって重要で価値のある広告が上位に順位付けされる可能性を高めることができる。
【００７７】
上記嗜好値を抽出する手段は、各ユーザが広告の種別ごとに重視する基準とその基準に適合する広告を結びつけることができ、ユーザにとって重視する広告を抽出できる。また、複数の基準に該当する広告は嗜好値を大きくすることからユーザにとって重要で価値のある広告が上位に順位付けされる可能性を高めることができる。
【００７８】
ここで、前述したステップ８において広告評価部２０が広告の価値を評価する方法ついて説明する。広告評価部２０は、距離算出部１５が算出した実店舗の位置とユーザ位置情報が示す位置との間の距離に対応する距離の対応値と、嗜好値算出部１９が算出した嗜好値、および広告提供者が登録した広告配信代金の金額を利用し、以下の式で算出する。
【００７９】
距離の対応値をＤ，嗜好値をＺ，広告の価値をＶ、αを所定の固定値、広告費をＡとすると，広告の価値Ｖは以下の式（５）で表される。
【００８０】
Ｖ＝（Ｚ／Ｄ）×（Ａ×α）…（５）
【００８１】
順位付け部２１は、算出した価値の大きい順に広告をソートし、上位の広告が移動機端末５０へ送信される。
【００８２】
本発明の情報提供システムにおいては、上記嗜好の度合いと距離により順位付けを行うことに加えて、広告提供者が登録した、広告配信代金を加味して価値を評価することにより、投入する広告費を増加することにより上位の順位へ選出される可能性を高めることができる。
【００８３】
本発明の情報提供装置及び情報提供システムにおいては、ユーザ位置情報を取得し、少なくとも当該ユーザ位置情報に基づいて広告を抽出し、更に、広告の種別毎の所定の評価基準と広告閲覧履歴とに基づいて嗜好値を算出し、当該嗜好値に基づいて順位付けされた広告を移動機端末に送信するため、ユーザの属性に合った広告を抽出し、ユーザの嗜好に合致した順で移動機端末に表示することができ、ユーザにとって必要である広告だけを送信することが可能となる。
【００８４】
また、本発明の情報提供装置及び情報提供システムにおいては、広告の種別毎に評価基準を予め定めるため、広告の種別に合わせた適切な方法により嗜好値を算出でき、また、ユーザによる広告の参照回数に基づくため、ユーザの嗜好をより正確に把握することができ、その結果、ユーザにとって不必要な広告を送信することを防ぐことが可能となる。
【００８５】
また、本発明の情報提供装置及び情報提供システムにおいては、広告に含まれている位置とユーザ位置情報との間の距離と、嗜好値と、広告提供者が登録した広告配信代金と、に基づいて広告の価値を評価するため、距離、嗜好値及び広告配信代金を総合的に考慮した広告の価値を把握できる。その結果、ユーザの嗜好を考慮した情報提供、ユーザが現存する位置から実店舗までの距離を考慮した情報提供、が可能となり、さらに嗜好の度合いが強い広告に対しては距離が遠くてもユーザにとって価値のある広告として評価することが可能となる。広告提供者にとっては、広告を必要とするユーザに広告を提供することで無駄を省くことが可能となり、また、重要な広告については高い広告配信代金を登録することで、当該広告についてより上位の順位付けを得る可能性を高める事が可能となる。
【００８６】
また、本発明の情報提供装置及び情報提供システムにおいては、ユーザ位置情報の取得及び広告の配信を自動的に行うため、ユーザからの情報提供要求が無い場合であっても例えば定期的にユーザ位置情報の取得及び広告の配信を行うことができ、その結果、ユーザにとって必要な広告を提示できる可能性を高めることが可能となる。
【００８７】
また、本発明の情報提供装置及び情報提供システムにおいては、広告閲覧履歴を保持し、ユーザが広告を閲覧する都度内容を更新しているため、ユーザの嗜好値算出の為に常に最新のユーザの広告閲覧履歴を利用することができ、その結果、より適切な嗜好値を算出することが可能となる。
【００８８】
また、閲覧履歴に記録される広告種別の多寡に関係なく、各広告種別における広告の嗜好を適切に反映した広告を提示できる。
【００８９】
なお、本実施形態に係る情報送信システムにおいては、広告送信部２２は、広告評価部２０が評価した広告の価値によって順位付けられた広告を移動機端末５０に送信しているが、別の実施例では、嗜好値算出部１９が算出した嗜好値に基づいて広告を順位付けて移動機端末５０に送信しても良い。この構成により、嗜好に基づいて広告を順位付けることが可能となる。
【００９０】
上記実施形態にかかる情報提供システムにおいては、処理を始めるにあたり、移動体端末５０から情報提供装置１０への情報提供要求を必要としたが、別の実施形態においては、情報提供装置１０が一定時間間隔（例えば３０分間隔）でユーザの存在するエリアを自動的に特定し、上記実施形態における図３のステップＳ３からステップＳ９と同様の処理を行い、広告を自動的に移動機端末５０へ送信してもよい。この構成により、一定時間間隔で自動的に広告を送信することができ、ユーザにとって必要な広告を提示できる可能性を高めることができるという効果がある。
【００９１】
上記実施形態においては、広告の提供手法についてのみ説明したが、提供する情報は広告のみに限定されるものではない。例えば音楽、チケット、イベント情報など広告提供者が提供する広告外のあらゆるコンテンツやあらゆる情報をユーザへ提供することが可能である。この構成により、情報提供システムを有する広告外コンテンツや情報の提供者が、提供対象エリア等の提供条件を登録し、広告外コンテンツや情報をシステムに登録することで、情報提供システムを有する企業が、企業自身が持つ広告外コンテンツや情報を対象エリアに存在するユーザへ自由に提供することが可能となる。
【００９２】
上記実施形態においては、ユーザの閲覧履歴を履歴ＤＢに格納していたが、別の実施形態においては、閲覧履歴ＤＢに格納する情報は提供した広告のみではなく、他システムが提供するＷｅｂサービスでの閲覧の履歴や移動機端末に提供する他システムの閲覧履歴等を利用してもよい。この構成により、そのユーザのより多くの情報を活用でき、そのユーザがもつ嗜好をより正確に把握することができる。更に、ユーザが別システムで登録した予定等の情報から余暇時間を推定することで、その余暇時間に適した広告を抽出することができる。
【００９３】
この場合更に、広告提供者が広告を投稿する際、その広告に記載された店舗でサービスを享受するのにかかる概算時間を登録できるようにしてもよい。また、広告ジャンルにより推定された享受するための時間（例えば映画広告ならば２時間等）と、ユーザの次の予定までの余暇時間から余暇時間内でサービスを享受可能な広告を上位に順位付けできてもよい。このような構成とすることで、ユーザに対してその人の余暇時間を考慮することができ、より価値が高い広告を選別することが可能となる。
【００９４】
上記実施形態にかかる情報提供システムにおいては、広告提供者は、提供対象エリア、広告送信時間帯、対象性別及び対象年代の条件を登録できたが、別の実施形態においては、広告提供者は、それらの条件に加えてどのような嗜好を持つ人を提供対象とするかを条件として登録できてもよい。この構成により、情報提供者は、広告が配信されるユーザをより効果的に限定することが可能となる。
【００９５】
上記実施形態においては、履歴管理部１８は、広告閲覧履歴を保持しているが、本発明の別の実施形態においては、広告閲覧履歴のみでなく、ユーザによる移動機端末５０の操作履歴を保持しても良い。それによって、より的確にユーザの嗜好を把握することができる。
【００９６】
なお、上記実施形態においては、最低限、広告ＤＢ１２、ユーザ位置情報取得部１３、広告抽出部１４、履歴ＤＢ１７、嗜好値算出部１９、順位付け部２１、及び広告送信部２２の構成を備えればよい。この場合、配信される広告を広告ＤＢ１２が保持し、移動機端末における広告閲覧に関する広告閲覧履歴を履歴ＤＢ１７が保持し、ユーザ位置情報取得部１３は、予め区分けされたエリアのうち、移動機端末のユーザの現在位置を示すユーザ位置情報を取得し、広告抽出部１４は、ユーザ位置情報取得手段が取得したユーザ位置情報に基づいて、広告ＤＢ１２が保持する広告の中から広告を抽出し、嗜好値算出部１９は、履歴ＤＢ１７が保持する広告閲覧履歴から広告種別毎のユーザ嗜好情報を抽出し、広告種別毎の所定の評価基準と、前記広告種別毎のユーザ嗜好情報と、に基づいてユーザの前記広告に対する嗜好値を算出し、順位付け部２１は、嗜好値算出部１９が算出した嗜好値に基づいて広告を順位付けし、広告送信部２２は、順位付けされた広告を移動機端末へ送信する。
【図面の簡単な説明】
【００９７】
【図１】本発明の実施形態にかかる情報提供システムの構成図である。
【図２】図１の情報提供装置のハードウェア構成図である。
【図３】本発明の実施形態にかかる情報提供システムの動作を示すフローチャートである。
【図４】本発明の実施形態にかかる広告の提供条件を例示する図表である。
【図５】本発明の実施形態にかかる基準、詳細項目、閾値を例示する図表である。
【図６】本発明の実施形態にかかる嗜好値の算出方法を示す図表である。
【符号の説明】
【００９８】
１０…情報提供装置、１１…広告管理部、１２…広告ＤＢ、１３…ユーザ位置情報取得部、１４…広告抽出部、１５…距離算出部、１７…履歴ＤＢ、１８…履歴管理部、１９…嗜好値算出部、２０…広告評価部、２１…順位付け部、２２…広告送信部、５０…移動機端末。
【図１】
2009271845.tif 000003
【図２】
2009271845.tif 000004
【図３】
2009271845.tif 000005
【図４】
2009271845.tif 000006
【図５】
2009271845.tif 000007
【図６】
2009271845.tif 000008